(57)【要約】      （修正有）【課題】家庭にも設置でき、かつ寺院でも立体的に収納でき低価格で良質なペット用仏壇およびペット用仏壇収納庫を提供する。【解決手段】ペット用仏壇１０は、上部に仏壇室２０と下部に納骨室３０に区切られ、かつ納骨室３０の底部に供物を載置する前後に移動可能としたスライドを設け、ペット用仏壇１０前部には観音扉１１はヒンジを介して左右に、開閉自在としかつ、仏壇室２０と納骨室３０の両側面と平行にそれぞれスライドユニット１３を備えている。【選択図】図６
0003143388.tif 000002
【実用新案登録請求の範囲】
【請求項１】
ペット用仏壇は、上部に仏壇室と下部に納骨室に仕切られ、かつ納骨室の底部に供物を載置する前後に移動可能としたスライドを設け、前部には観音扉を設け、同観音扉はヒンジを介して左右に、開閉自在としかつ、仏壇室と納骨室の両側面と平行にそれぞれスライドして収納され、
前記仏壇室は、上面板、後面板、左右側面板、底面板でそれぞれ囲い、上部にランプを配設し、内部に写真立て、花立、線香立て等を収納可能とし、前記ランプは前記観音扉が開かれたときスイッチがＯＮして点灯し、前記観音扉が閉じられたときＯＦＦする点灯回路を設け、
前記納骨室は、前部には観音扉を設け開閉自在とし、内部空間に上面板、後面板、左右側面板、底面板でそれぞれ囲い、骨壷を収納可能としたことを特徴とするペット用仏壇。
【請求項２】
格子状に収納枠を立体ペット用仏壇収納ユニット的に立設し、収納枠内に前記ペット用仏壇収納ユニットを複数収納したペット用仏壇収納したことを特徴とする請求項１項記載のペット用仏壇収納庫。
【請求項３】
ペット仏を構成する前記観音扉、前記仏壇室、前記納骨室の上面板、後面板、左右側面板、底面板は、鉄板、アルミニュウムなどの金属板で構成したことを特徴とする請求項１項記載のペット用仏壇。
【請求項４】
ペット仏を構成する前記観音扉、前記仏壇室、前記納骨室の上面板、後面板、左右側面板、底面板は、木製板で構成したことを特徴とする請求項１項記載のペット用仏壇。
【請求項５】
ペット仏を構成する前記観音扉、前記仏壇室、前記納骨室の上面板、後面板、左右側面板、底面板は、プラスチック板で構成したことを特徴とする請求項１項記載のペット用仏壇。
【考案の詳細な説明】
【技術分野】
【０００１】  本考案は、ペット用仏壇およびペット用仏壇収納庫に関する。
【背景技術】
【０００２】  近年、ペットを人と同様にペットを供養したいと考えている飼い主が多くなり、長年連れ添って家族同様に埋葬し、供養したいと考える人が多く、仏壇を購入して使用するのは金銭的にも設置スペース的にも飼い主の負担が大きい。このような背景から、ペット用仏壇は、近年種々の提案されている。
特許文献１は、扉を閉じていても棚の中の写真や形見を眺めることができるとともに、扉を開いたときには、線香を立てたり花を飾ったりすることができる飾り棚としてのペット用仏壇が開示されている。（特許文献１）。
特許文献２は、故人又はペットの遺品や遺骨類を収納する収納部を内部に有する箱状体本体と、該箱状体本体の収納部上端に繋止具で連結され内面に仏画，神画，又は護符を祀る蓋部と、故人又はペットの遺影を飾る箱状体前面に設けられた額部とで構成されている。（特許文献２）
【特許文献１】特開第２００５−２５３５４８号
【特許文献２】特開第２００７−６９３４号
【考案の開示】
【考案が解決しようとする課題】
【０００３】  従来のペット用仏壇は、家庭にも設置でき、かつ寺院でも立体的に収納できるような汎用性を持った設計がされておらず、量産して価格を抑えた良質なペット用仏壇およびペット用仏壇収納庫が少なかった。
そこで、本考案は、家庭にも設置でき、かつ寺院でも立体的に収納でき低価格で良質なペット用仏壇およびペット用仏壇収納庫を提供することを目的とする。
【課題を解決するための手段】
【０００４】  本考案のペット用仏壇は、上部に仏壇室と下部に納骨室に仕切られ、かつ納骨室の底部に供物を載置する前後に移動可能としたスライドを設け、前部には観音扉を設け、同観音扉はヒンジを介して左右に、開閉自在としかつ、仏壇室と納骨室の両側面と平行にそれぞれスライドして収納され、前記仏壇室は、上面板、後面板、左右側面板、底面板でそれぞれ囲い、上部にランプを配設し、内部に写真立て、花立、線香立て等を収納可能とし、前記ランプは前記観音扉が開かれたとき、スイッチがＯＮして点灯し、前記観音扉が閉じられたときＯＦＦする点灯回路を設け、前記納骨室は、前部には観音扉を設け開閉自在とし、内部空間に上面板、後面板、左右側面板、底面板でそれぞれ囲い、骨壷を収納可能としたことを特徴とする。【０００５】  本考案は、格子状に収納枠を立体ペット用仏壇収納ユニット的に立設し、収納枠内に前記ペット用仏壇収納ユニットを複数収納したペット用仏壇収納したことを特徴とする。【０００６】  本考案は、ペット用仏壇を構成する前記観音扉、前記仏壇室、前記納骨室の上面板、後面板、左右側面板、底面板は、鉄板、アルミニュウムなどの金属板、または木製板、プラスチック板で構成した。
【考案の効果】  本考案ペット用仏壇によれば、自由度のある設計が可能で、家庭にも設置でき、かつ寺院でも立体的に収納できる。
【考案を実施するための最良の形態】
【実施例】
【０００７】  以下、実施の形態を示す図面に基づき、本考案を詳説する。
図１から図５は、ペット用仏壇１０を示す図面で、図１は正面図、図２は図１のＡ−Ａ断面を示す断面図、図３は図１の右側面図、図４は図２のＢ−Ｂ断面を示す断面図、図５は、点灯回路回路図を示す。図６は、ペット用仏壇１０は、図４において、写真立て、線香立てなどを収納した状態を示す。
ペット用仏壇１０の前部には、図１、図２に示すように、観音扉１１（右扉１１ａ、左扉１１ｂ）を設け、観音扉１１の右扉１１ａ、左扉１１ｂはヒンジ１２を介してそれぞれ左右に、開閉自在としかつ、仏壇室２０と納骨室３０の両側面と平行に上下にそれぞれスライドユニット１３を備えている。観音扉１１の右扉１１ａ、左扉１１ｂにスライドユニット１３を係合している。このスライドユニット１３は、標準化されて市販されている公知のもので、スライドレールとボールベアリングを組み合わせたものである。
仏壇室２０は、上面板２１、後面板２２、左右側面板２３ａ、２３ｂ、底面板２５で全部を開口して箱型に囲い、上部にランプ２４を配設している。ペット用仏壇１０は、図４に示すように、上部に仏壇室２０と下部に納骨室３０に区切られている。納骨室３０の底部に供物を載置する前後に移動可能とした引出板３７を設けている。
仏壇室２０内部には、図４に示すように、マグネットキャッチ２９を介して、写真立て２６、線香立て２７を収納した状態を示す。なお、使用者は、必要に応じて花立て、灯篭など必要に応じて装飾できる。【０００８】  点灯回路２９は、図５に示すように上面板２１の下面中央に固定されたランプ２４は、観音扉１１（１１ａ、１１ｂ）が開かれたとき、観音扉１１と台側に設けたスイッチ付きマグネットキャッチ２８のスイッチがＯＮしてランプ２８が点灯し、観音扉１１（１１ａ、１１ｂ）が閉じられたときＯＦＦし、テーブルタップ２８ｂに接続され、コンセントを備えたコード２８ｃを用いて電源に接続できる。
納骨室３０は、前部には観音扉３１（３１ａ、３１ｂ）を設け開閉自在とし、内部空間に上面（底面板２５と共用）、後面板３２、左右側面板３３、３４、底面板３５で箱型に形成し、骨壷３６を収納可能としている。
ペット用仏壇収納庫４０は、格子状に収納枠４１を立体的にペット用仏壇１０を立体的に複数配設し、収納枠４１ａ、４１ｂ、４１ｂ、４１ｃ・・・・にペット用仏壇１０を複数立体的に収納可能とした。【０００７】  本考案は、ペット仏を構成する前記観音扉、前記仏壇室、前記納骨室の上面板、後面板、左右側面板、底面板は、鉄板、アルミニュウムなどの金属板、または木製板、プラスチック板を用いることができる。
【産業上の利用可能性】  本考案は、家庭にも設置でき、かつ寺院でも立体的に収納でき低価格で良質なペット用仏壇およびペット用仏壇収納庫を供する。
【図面の簡単な説明】
【図１】  考案のペット用仏壇の正面図を示す図である。
【図２】  本考案のペット用仏壇の図１のＡ−Ａ断面を示す断面図である。
【図３】  本考案のペット用仏壇の観音扉を収納した状態を示す右側面図である。
【図４】  本考案のペット用仏壇の図２におけるＢ−Ｂ断面を示す断面図である。
【図５】  本考案のペット用仏壇の点灯回路図である。
【図６】  図４において、写真立て、線香立てなどを収納した状態を示す断面図である。
【符号の説明】
１０    ペット用仏壇
１１    観音扉
１１ａ、１１ｂ    左右扉
１２    ヒンジ
１３    スライドユニット
１４    トッテ
１５    鍵
２０    仏壇室
２１    上面板
２２    後面板
２３ａ，２３ｂ    左右側面板
２４    ランプ（ダウンランプ）
２５    底面板
２６    写真立て
２８    線香立て
２９    マグネットキャッチ
３０    納骨室
３１（３１ａ、３１ｂ）    観音扉
３１ａ、３１ｂ    左右扉
３２    後面板
３３、３４    左右側面板
３５    底面板
３６    骨壷
４０    点灯回路
４１ａ    ダウンライト
４１ｂ    テーブルタップ
４１ｃ    マグネットキャッチ
４１ｄ    コード
【図１】
0003143388.tif 000003
【図２】
0003143388.tif 000004
【図３】
0003143388.tif 000005
【図４】
0003143388.tif 000006
【図５】
0003143388.tif 000007
【図６】
0003143388.tif 000008